(57)【要約】【課題】スライド式の筒型化粧用容器のスライドをスムースに行うスライド機構を提供する。【解決手段】この考案は、先端が開口した筒状のケース本体１内に固形化粧料，化粧筆その他の化粧体３を弾力部材７を介して弾力的に且つ軸方向に押し出しスライド可能に収容している。上記ケース本体１と化粧体３の間には化粧体３のスライド移動を案内するガイド部１４，１７を設けた機構である。上記ケース本体１外周にはガイド部を覆い且つガイド部１４，１７を介して化粧体３をスライド移動させる筒状の駆動筒１６をスライド可能に外装している。【選択図】図２
0003130510.tif 000002
【実用新案登録請求の範囲】
【請求項１】
先端が開口した筒状のケース本体（１）内に固形化粧料，化粧筆その他の化粧体（３）を弾力部材（７）を介して弾力的に且つ軸方向に押し出しスライド可能に収容し、上記ケース本体（１）と化粧体（３）の間には化粧体（３）のスライド移動を案内するガイド部（１４），（１７）を設けた機構において、上記ケース本体（１）外周にはガイド部を覆い且つガイド部（１４），（１７）を介して化粧体（３）をスライド移動させる筒状の駆動筒（１６）をスライド可能に外装してなる筒型化粧用容器のスライド機構。
【請求項２】
化粧体（３）の基端部側とケース本体（１）の基端部側との間に化粧体（３）をケース本体（１）の基端部側に移動させる方向に付勢する弾力部材（７）を設けてなる請求項１の筒型化粧用容器のスライド機構。
【請求項３】
弾力部材（７）がケース本体（１）内において化粧体（３）の基端部側とケース本体（１）の基端部側とに両端を固定された引戻し用の収縮スプリング（７）である請求項２の筒型化粧用容器のスライド機構。
【請求項４】
ガイド部がケース本体（１）の周壁に軸方向に沿って形成したスリット状のガイド溝（１４）であり、駆動筒（１６）と化粧体（３）を連結固定するピン（１７）を該ガイド溝（１４）を貫通させて設けた請求項１，２又は３の筒型化粧用容器のスライド機構。
【請求項５】
ケース本体（１）の開口端側に挿脱可能に嵌合するキャップ（２）を設け、該キャップ（２）をケース本体（１）の基端部に挿脱可能に嵌合してスライドさせることにより上記駆動筒（１６）を弾力部材の弾力に抗して軸方向にスライドさせる機構とした請求項１，２，３又は４の筒型化粧用容器のスライド機構。
【請求項６】
上記キャップ（２）をケース本体（１）に嵌合してスライドさせる際に、キャップ（２）が弾力部材（７）の付勢力に抗して駆動筒（１６）を任意の位置で停止させるように、キャップ（２）の内周にケース本体（１）外周に押接されてスライド抵抗を付与する弾力的な押接部材（１８）を設けてなる請求項５の筒型化粧用容器のスライド機構。
【考案の詳細な説明】
【技術分野】
【０００１】
本考案は棒状の固形化粧料や化粧筆等の化粧体を先端より出し入れ可能に突出させるように収容する筒型化粧用容器のスライド機構に関する。
【背景技術】
【０００２】
従来上記のような化粧体を弾力的に先端を押出しスライド可能に収容する筒型化粧用容器のスライド機構としては、特許文献１に示されるように、ケース本体の基端部側に収容固定し、その内部にスライド軸をスライド可能に挿入するとともにスライド軸外周と内筒の内周間に圧縮スプリングを挿入している。
【０００３】
そして圧縮スプリングの基端部側には内筒とケース本体を貫通して外周に突出する係止ピンをスライド軸外周に突出させており、この係止ピンはケース本体の基端部側よりキャップの開口部を挿入してスライドさせることにより、スライド軸（筆軸）自体をスライドする機構となっている。
【特許文献１】実用新案登録第３０５２８３８号公報
【考案の開示】
【考案が解決しようとする課題】
【０００４】
上記スライド機構の容器は外周に突出した係止ピンでスライド軸をスライド駆動させるため、スライド自体が確実で内部の摺動面の不具合等によるスライド不良等が防止できるほか、スライド軸のケースに対する自由回動も規制される等の利点がある。
しかし係止ピンと内筒及びケース本体の周壁に設けたガイド溝が外部に露出しているため外観上問題があるほか、このガイド溝を介してゴミ等が入る欠点や入ったゴミによってスライド性能も妨げられるという欠点がある。
【課題を解決するための手段】
【０００５】
上記課題を解決するための本考案のスライド機構は、第１に先端が開口した筒状のケース本体１内に固形化粧料，化粧筆その他の化粧体３を弾力部材７を介して弾力的に且つ軸方向に押し出しスライド可能に収容し、上記ケース本体１と化粧体３の間には化粧体３のスライド移動を案内するガイド部１４，１７を設けた機構において、上記ケース本体１外周にはガイド部を覆い且つガイド部１４，１７を介して化粧体３をスライド移動させる筒状の駆動筒１６をスライド可能に外装してなることを特徴としている。
【０００６】
第２に、化粧体３の基端部側とケース本体１の基端部側との間に化粧体３をケース本体１の基端部側に移動させる方向に付勢する弾力部材７を設けてなることを特徴としている。
【０００７】
第３に、弾力部材７がケース本体１内において化粧体３の基端部側とケース本体１の基端部側とに両端を固定された引戻し用の収縮スプリング７であることを特徴としている。
【０００８】
第４に、ガイド部がケース本体１の周壁に軸方向に沿って形成したスリット状のガイド溝１４であり、駆動筒１６と化粧体３を連結固定するピン１７を該ガイド溝１４を貫通させて設けたことを特徴としている。
【０００９】
第５に、ケース本体１の開口端側に挿脱可能に嵌合するキャップ２を設け、該キャップ２をケース本体１の基端部に挿脱可能に嵌合してスライドさせることにより上記駆動筒１６を弾力部材の弾力に抗して軸方向にスライドさせる機構としたことを特徴としている。
【００１０】
第６に、上記キャップ２をケース本体１に嵌合してスライドさせる際に、キャップ２が弾力部材７の付勢力に抗して駆動筒１６を任意の位置で停止させるように、キャップ２の内周にケース本体１外周に押接されてスライド抵抗を付与する弾力的な押接部材１８を設けてなることを特徴としている。
【考案の効果】
【００１１】
以上のように構成される本考案のスライド機構は、化粧体がスムースにスライドし、化粧体のフリー回転も防止される利点を保持しながら、化粧体の使用時や収納時に容器周壁に形成したスリット状のガイド溝やスライド駆動用の係止ピンが周面に露出しないため、容器内にゴミが入ることもなく、ゴミが入ることによるスライド不良等も生じない。
【考案を実施するための最良の形態】
【００１２】
以上図示する実施形態につき詳述すると、図１〜図４は化粧体として化粧筆を収納する化粧容器の収納状態、使用状態及びキャップ構造を示している。化粧容器は丸筒状のケース本体１とその先端側開口部に外装挿脱されるキャップ２とを備えており、ケース本体１内には化粧体である化粧筆（筆体）３が軸方向スライド可能に挿入されている。
【００１３】
ケース本体１の基端部とキャップ２の先端（ヘッド）部にはそれぞれの端部を閉塞する皿状の端面蓋４，６が嵌合固着され、ケース本体１内の基端部と筆体３の基端部の間には筆体３を常に基端部側に引戻すように付勢している収縮スプリング（弾力部材）７がその両端を固着されて設けられている。
【００１４】
筆体３はその基端部をケース本体１内で軸方向にスライドする短管状の筆軸８に収束されて嵌合され、その端面が短管内で接着剤で一体付着して固定する筆固定部９で固着されている。
【００１５】
さらに筆軸８の基端部には厚肉スリーブ又はドーナツ状の内スライダー１１が嵌合され、内スライダー１１の先端側にはボス部１２が内スライダー１１内に突出するようにスプリング受１０が嵌合固定されている。ケース本体基端部の端面蓋４の内面にもボス部１３が突設され、上記ボス部１２，１３には先述したスプリング７の両端がそれぞれ嵌合係止されている。
【００１６】
ケース本体１の基端部側周壁には軸方向に所定長さを有するスリット状のガイド溝１４が形成されているとともに、該ガイド溝１４位置の外周にはガイド溝１４を覆う筒状の駆動筒１６がケース本体１に対してスライド可能に外装されている。そして駆動筒１６と内スライダー１１は、ガイド溝１４を貫くピン１７で一体的に連結固定され、ガイド溝１４の長さの範囲内で共にスライダーを構成して軸方向スライドする。
【００１７】
上記スライドは先端方向には収縮スプリング７の弾力に抗して行われ、基端部方向（復元方向）に常時付勢されており、図１の収納状態では筆体３はケース本体１の最深部まで引き込まれ、キャップ２も最深部まで挿入されて収納状態となる。
【００１８】
逆にキャップ２を外してケース本体１の基端部側から最深部まで嵌合挿入すると図２，図３の使用状態となりこの時キャップ２の挿入により駆動筒１６が最も先端側までスライドしている。駆動筒１６のスライド位置はキャップ２の挿入深さにより自由に決められ、この挿入深さにより筆体３の突出長さ及び筆先の開き具合が調節できる。
【００１９】
このようにキャップ２の挿入により駆動筒１６のスライド位置が固定されるには、ケース本体１にキャップ２を挿入した時、両者の嵌合によりスライドに対する一定以上（スプリング７の付勢力に勝る程度）の摩擦抵抗が必要である。このためキャップ２内には図４に示すように薄肉Ｃ形断面の筒状に形成した板スプリング１８が挿入されている。
【００２０】
そしてこの板スプリング１８の先端側には縦方向の多数のスリット１９が形成され、その切残し部２０が僅かに内側に湾曲されているため、この湾曲部分がケース本体１の周面に押接され、スライド時の摩擦抵抗を生じさせる。
【図面の簡単な説明】
【００２１】
【図１】筒型化粧用容器の収納状態断面図である。
【図２】筒型化粧用容器の使用状態を示す断面図である。
【図３】筒型化粧用容器の使用状態を示す側面図である。
【図４】容器のキャップとその内部に挿入する板バネを示す斜視図である。
【符号の説明】
【００２２】
１  ケース本体
２  キャップ
３  筆体（化粧体）
７  収縮スプリング（弾力部材）
１４  ガイド溝（ガイド部）
１６  駆動筒
１７  ピン（ガイド部）
１８  板バネ（押接部材）
【図１】
0003130510.tif 000003
【図２】
0003130510.tif 000004
【図３】
0003130510.tif 000005
【図４】
0003130510.tif 000006